(57)【要約】【課題】ユーザが自由に選択した映像と、その映像に関連する広告情報とを対応付けることにより、端末装置で広告情報が付された映像コンテンツを表示する。【解決手段】制御サーバ装置１４において、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、その配布用タグに基づいたアクセスがあったときに、前記パッケージに含まれている画像データ特定情報、広告データ特定情報および再生用特殊効果データ特定情報に基づいて、これらのデータを再生するスクリプト言語を生成する。端末装置１１において、スクリプト言語に基づいて、画像データ、広告データおよび再生用特殊効果データを読み出して、これらを合成して画面に表示する。【選択図】図３
2009177540.tif 000002
【特許請求の範囲】
【請求項１】
画像データを閲覧可能に格納する画像サーバ装置と、
広告データを格納する第１のデータベースと、
再生用特殊効果データを格納する第２のデータベースと、
画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成する制御サーバ装置と、
前記制御サーバ装置から前記配布用タグを取得し、前記取得した配布用タグに基づいて、前記制御サーバ装置にアクセスし、前記制御サーバ装置から前記スクリプト言語を取得し、前記スクリプト言語で指定された画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらを合成して画面に表示する端末装置と、から構成されることを特徴とする画像表示システム。
【請求項２】
画像データを閲覧可能に格納する画像サーバ装置と、
広告データを格納する第１のデータベースと、
再生用特殊効果データを格納する第２のデータベースと、
画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらのデータを合成して前記配布用タグに基づいたアクセス元へ合成画像を配信する制御サーバ装置と、
前記制御サーバ装置から前記パッケージを特定するパッケージＩＤを含む配布用タグを取得し、前記配布用タグを用いて、前記制御サーバ装置にアクセスし、前記制御サーバ装置から配信された合成画像を画面に表示する端末装置と、から構成されることを特徴とする画像表示システム。
【請求項３】
前記端末装置は、前記画像サーバ装置から画像データ特定情報を取得し、取得した前記画像データ特定情報を用いて、前記制御サーバ装置に対して、広告データおよび再生用特殊効果データの要求を行ない、
前記制御サーバ装置は、画像データ特定情報により特定される画像の要素を示す要素タグを前記画像サーバ装置から取得し、前記要素タグと前記第１のデータベースに格納されている広告データとのマッチングを行なって、前記要素タグとマッチングした広告データの広告データ特定情報を前記端末装置へ送信すると共に、画像データ特定情報により特定される画像のカテゴリーを示すカテゴリー情報を前記画像サーバ装置から取得し、前記カテゴリー情報と前記第２のデータベースに格納されている再生用特殊効果データとのマッチングを行なって、前記カテゴリー情報とマッチングした再生用特殊効果データの再生用特殊効果データ特定情報を前記端末装置へ送信し、
前記端末装置は、前記制御サーバ装置に対して、前記画像データ特定情報、広告データ特定情報および再生用特殊効果データ特定情報を用いて配布用タグの生成要求を行ない、
前記制御サーバ装置は、前記配布用タグの生成要求に基づいて、前記画像データ特定情報、広告データ特定情報および再生用特殊効果データ特定情報をパッケージ化し、パッケージＩＤおよびユーザＩＤを用いて配布用タグを生成し、生成した配布用タグを前記端末装置へ送信し、
前記端末装置またはそれ以外の端末装置は、前記制御サーバ装置から受信した配布用タグを用いて、前記制御サーバ装置に対して、画像配信要求を行なうことを特徴とする請求項１または請求項２記載の画像表示システム。
【請求項４】
前記第１のデータベースは、
広告データ中の広告文言および広告文言に対応するＩＤから構成された広告文言テーブルと、
前記広告文言テーブルから抽出された広告文言中の名詞、予め登録され前記名詞から連想される類義語、並びに前記名詞および類義語に対応するＩＤから構成された広告文言拡張テーブルと、を備える一方、
前記第２のデータベースは、少なくとも再生用特殊効果名および再生用特殊効果のカテゴリー名から構成された再生用特殊効果テーブルを備え、
前記制御サーバ装置は、前記広告文言拡張テーブル中の名詞および類義語と前記要素タグとのマッチングを行なうと共に、前記再生用特殊効果テーブル中の再生用特殊効果のカテゴリー名と前記カテゴリー情報とのマッチングを行なうことを特徴とする請求項３記載の画像表示システム。
【請求項５】
前記広告データは、他のＷＥＢページのＵＲＬを含み、前記端末装置において前記合成画像が表示されている最中に広告データが選択された場合は、前記ＵＲＬで指定されたＷＥＢページに画面を遷移することを特徴とする請求項１から請求項４のいずれかに記載の画像表示システム。
【請求項６】
制御サーバ装置の動作を制御するプログラムであって、
端末装置から、画像サーバ装置から取得した画像データ特定情報を用いた広告データおよび再生用特殊効果データの要求を受け付ける処理と、
前記画像データ特定情報により特定される画像の要素を示す要素タグを前記画像サーバ装置から取得する処理と、
前記要素タグと第１のデータベースに格納されている広告データとのマッチングを行なって、前記要素タグとマッチングした広告データの広告データ特定情報を前記端末装置へ送信する処理と、
前記画像データ特定情報により特定される画像のカテゴリーを示すカテゴリー情報を前記画像サーバ装置から取得する処理と、
前記カテゴリー情報と前記第２のデータベースに格納されている再生用特殊効果データとのマッチングを行なって、前記カテゴリー情報とマッチングした再生用特殊効果データの再生用特殊効果データ特定情報を前記端末装置へ送信する処理と、
前記端末装置から、前記画像データ特定情報、広告データ特定情報および再生用特殊効果データ特定情報を用いた配布用タグの生成要求を受け付ける処理と、
前記配布用タグの生成要求に基づいて、前記画像データ特定情報、広告データ特定情報および再生用特殊効果データ特定情報をパッケージ化し、パッケージＩＤおよびユーザＩＤを用いて配布用タグを生成する処理と、
前記生成した配布用タグを前記端末装置へ送信する処理と、
前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成する処理と、
前記生成したスクリプト言語を前記端末装置に送信する処理と、を少なくとも含み、
前記端末装置に対して、前記スクリプト言語で指定した画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらを合成して画面に表示させることを特徴とするプログラム。
【発明の詳細な説明】
【技術分野】
【０００１】
本発明は、広告情報が付された映像コンテンツを表示する画像表示システムおよびプログラムに関する。
【背景技術】
【０００２】
従来、例えば、特開２００６−２３７６８２号公報には、リアルタイムで動画データを記録し、Ｗｅｂページの参照希望時に、記録した動画データを参照させる動画配信システムが開示されている。この動画配信システムでは、ユーザから管理サーバに対して動画データが送信されると、管理サーバは、動画データと動画ＩＤ情報とを対応させて記録する。また、管理サーバは、動画データと合成する広告動画データを記録する。管理サーバは、動画データに対応付けた動画Ｗｅｂページを作成し、参照希望端末が動画Ｗｅｂページの参照を希望すると、そのＷｅｂページに対応付けて記録されている動画ＩＤ情報から動画データを特定し、その動画データと広告データとを動画合成装置で合成し、合成動画データを参照希望端末に閲覧させる。
【０００３】
また、例えば、特開２００３−１６３９０２号公報には、広告等の情報を動画像に自動合成するときに、所望の区間については、情報の合成を制限する動画像表示システムが開示されている。この動画像表示システムでは、動画像表示装置が、動画像配信装置から動画像と制限区間特定情報とを受信する。また、広告配信装置から広告を受信する。そして、動画像配信装置から受信する動画像に対して、広告配信装置から受信する広告を合成する。ここで、制限区間特定情報が特定する区間については、広告の合成を制限する。
【特許文献１】特開２００６−２３７６８２号公報
【特許文献２】特開２００３−１６３９０２号公報
【発明の開示】
【発明が解決しようとする課題】
【０００４】
しかしながら、上記の従来技術では、動画データと広告データとを予め合成したものを配信するものであるため、両者の対応関係は一対一であり、合成画像も画一的なものとなってしまう。従来は、このように画一的な合成画像を配信する手法が一般的であったため、インターネット上で閲覧可能な映像と広告映像とを組み合わせることにより、新たな映像コンテンツを生み出して、広告効果を高めるシステムは提案されていない。例えば、インターネット上で運営されている動画投稿サイトなどでは、投稿者のみならず、一般ユーザも動画を利用することができる場合が多い。このような状況において、ユーザは、自分の好みの映像を自由に使用することが可能であるため、ユーザがいずれかの映像を選択し、この映像と関連する広告情報を抽出し、これらを合わせて表示することができれば、従来にはないバリエーションの豊富な広告情報の提供を実現することができると考えられる。
【０００５】
本発明は、このような事情に鑑みてなされたものであり、ユーザが自由に選択した映像と、その映像に関連する広告情報とを対応付けることにより、映像の閲覧を希望する端末装置で広告情報が付された映像コンテンツを表示する画像表示システムおよびプログラムを提供することを目的とする。
【課題を解決するための手段】
【０００６】
（１）上記の目的を達成するために、本発明は、以下のような手段を講じた。すなわち、本発明の画像表示システムは、画像データを閲覧可能に格納する画像サーバ装置と、広告データを格納する第１のデータベースと、再生用特殊効果データを格納する第２のデータベースと、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成する制御サーバ装置と、前記制御サーバ装置から前記配布用タグを取得し、前記取得した配布用タグに基づいて、前記制御サーバ装置にアクセスし、前記制御サーバ装置から前記スクリプト言語を取得し、前記スクリプト言語で指定された画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらを合成して画面に表示する端末装置と、から構成されることを特徴としている。
【０００７】
このように、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成するので、端末装置において、画像データ、広告データおよび再生用特殊効果データを読み出して、これらを合成して画面に表示することができる。これにより、ユーザが自由に選択した映像と、その映像に関連する広告データおよび再生用特殊効果データとを対応付けて、映像の閲覧を希望する端末装置で広告情報が付された映像コンテンツを表示することができる。その結果、ユーザにとっては好みの映像を選択して、簡単な操作で映像広告を作成することができる。また、広告主にとっては、同じ広告情報であっても、さまざまな映像や再生用特殊効果が付されることとなるため、バリエーションの豊富な広告を提供することができる。また、画像サーバ装置の運営者にとっては、ユーザ数の増加が期待される。
【０００８】
（２）また、本発明の画像表示システムは、画像データを閲覧可能に格納する画像サーバ装置と、広告データを格納する第１のデータベースと、再生用特殊効果データを格納する第２のデータベースと、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらのデータを合成して前記配布用タグに基づいたアクセス元へ合成画像を配信する制御サーバ装置と、前記制御サーバ装置から前記パッケージを特定するパッケージＩＤを含む配布用タグを取得し、前記配布用タグを用いて、前記制御サーバ装置にアクセスし、前記制御サーバ装置から配信された合成画像を画面に表示する端末装置と、から構成されることを特徴としている。
【０００９】
このように、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらのデータを合成して前記配布用タグに基づいたアクセス元へ合成画像を配信することができる。これにより、ユーザが自由に選択した映像と、その映像に関連する広告データおよび再生用特殊効果データとを対応付けて、映像の閲覧を希望する端末装置で広告情報が付された映像コンテンツを表示することができる。その結果、ユーザにとっては好みの映像を選択して、簡単な操作で映像広告を作成することができる。また、広告主にとっては、同じ広告情報であっても、さまざまな映像や再生用特殊効果が付されることとなるため、バリエーションの豊富な広告を提供することができる。また、画像サーバ装置の運営者にとっては、ユーザ数の増加が期待される。
【００１０】
（３）また、本発明の画像表示システムにおいて、前記端末装置は、前記画像サーバ装置から画像データ特定情報を取得し、取得した前記画像データ特定情報を用いて、前記制御サーバ装置に対して、広告データおよび再生用特殊効果データの要求を行ない、前記制御サーバ装置は、画像データ特定情報により特定される画像の要素を示す要素タグを前記画像サーバ装置から取得し、前記要素タグと前記第１のデータベースに格納されている広告データとのマッチングを行なって、前記要素タグとマッチングした広告データの広告データ特定情報を前記端末装置へ送信すると共に、画像データ特定情報により特定される画像のカテゴリを示すカテゴリ情報を前記画像サーバ装置から取得し、前記カテゴリ情報と前記第２のデータベースに格納されている再生用特殊効果データとのマッチングを行なって、前記カテゴリ情報とマッチングした再生用特殊効果データの再生用特殊効果データ特定情報を前記端末装置へ送信し、前記端末装置は、前記制御サーバ装置に対して、前記画像データ特定情報、広告データ特定情報および再生用特殊効果データ特定情報を用いて配布用タグの生成要求を行ない、前記制御サーバ装置は、前記配布用タグの生成要求に基づいて、前記画像データ特定情報、広告データ特定情報および再生用特殊効果データ特定情報をパッケージ化し、パッケージＩＤおよびユーザＩＤを用いて配布用タグを生成し、生成した配布用タグを前記端末装置へ送信し、前記端末装置またはそれ以外の端末装置は、前記制御サーバ装置から受信した配布用タグを用いて、前記制御サーバ装置に対して、画像配信要求を行なうことを特徴としている。
【００１１】
このように、要素タグと前記第１のデータベースに格納されている広告データとのマッチングを行なって、前記要素タグとマッチングした広告データの広告データ特定情報を前記端末装置へ送信すると共に、カテゴリ情報と前記第２のデータベースに格納されている再生用特殊効果データとのマッチングを行なって、前記カテゴリ情報とマッチングした再生用特殊効果データの再生用特殊効果データ特定情報を前記端末装置へ送信するので、画像と関連する広告データおよび再生用特殊効果を抽出し、端末装置において、これらを表示することが可能となる。また、制御サーバ装置において、画像データ特定情報、広告データ特定情報および再生用特殊効果データ特定情報をパッケージ化し、パッケージＩＤおよびユーザＩＤを用いて配布用タグを生成し、生成した配布用タグを前記端末装置へ送信し、前記端末装置またはそれ以外の端末装置は、前記制御サーバ装置から受信した配布用タグを用いて、前記制御サーバ装置に対して、画像配信要求を行なうので、配布用タグを選択するだけで画像と広告と再生用特殊効果とを同時に再生することができる。
【００１２】
（４）また、本発明の画像表示システムにおいて、前記第１のデータベースは、広告データ中の広告文言および広告文言に対応するＩＤから構成された広告文言テーブルと、前記広告文言テーブルから抽出された広告文言中の名詞、予め登録され前記名詞から連想される類義語、並びに前記名詞および類義語に対応するＩＤから構成された広告文言拡張テーブルと、を備える一方、前記第２のデータベースは、少なくとも再生用特殊効果名および再生用特殊効果のカテゴリ名から構成された再生用特殊効果テーブルを備え、前記制御サーバ装置は、前記広告文言拡張テーブル中の名詞および類義語と前記要素タグとのマッチングを行なうと共に、前記再生用特殊効果テーブル中の再生用特殊効果のカテゴリ名と前記カテゴリ情報とのマッチングを行なうことを特徴としている。
【００１３】
このように、要素タグと広告文言中の名詞および類似後とのマッチングを行なうため、画像に関連する広告文言を抽出することができる。また、カテゴリ情報とカテゴリ名とのマッチングを行なうため、カテゴリ情報にふさわしい再生用特殊効果を抽出することができる。さらに、テーブルに記録された情報をマッチングに用いるため、処理を簡単に行なうことができる。
【００１４】
（５）また、本発明の画像表示システムにおいて、前記広告データは、他のＷＥＢページのＵＲＬを含み、前記端末装置において前記合成画像が表示されている最中に広告データが選択された場合は、前記ＵＲＬで指定されたＷＥＢページに画面を遷移することを特徴としている。
【００１５】
このように、端末装置において前記合成画像が表示されている最中に広告データが選択された場合は、前記ＵＲＬで指定されたＷＥＢページに画面を遷移するので、アフィリエイトシステムとして機能させることが可能となる。
【００１６】
（６）また、本発明のプログラムは、制御サーバ装置の動作を制御するプログラムであって、端末装置から、画像サーバ装置から取得した画像データ特定情報を用いた広告データおよび再生用特殊効果データの要求を受け付ける処理と、前記画像データ特定情報により特定される画像の要素を示す要素タグを前記画像サーバ装置から取得する処理と、前記要素タグと第１のデータベースに格納されている広告データとのマッチングを行なって、前記要素タグとマッチングした広告データの広告データ特定情報を前記端末装置へ送信する処理と、前記画像データ特定情報により特定される画像のカテゴリを示すカテゴリ情報を前記画像サーバ装置から取得する処理と、前記カテゴリ情報と前記第２のデータベースに格納されている再生用特殊効果データとのマッチングを行なって、前記カテゴリ情報とマッチングした再生用特殊効果データの再生用特殊効果データ特定情報を前記端末装置へ送信する処理と、前記端末装置から、前記画像データ特定情報、広告データ特定情報および再生用特殊効果データ特定情報を用いた配布用タグの生成要求を受け付ける処理と、前記配布用タグの生成要求に基づいて、前記画像データ特定情報、広告データ特定情報および再生用特殊効果データ特定情報をパッケージ化し、パッケージＩＤおよびユーザＩＤを用いて配布用タグを生成する処理と、前記生成した配布用タグを前記端末装置へ送信する処理と、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成する処理と、前記生成したスクリプト言語を前記端末装置に送信する処理と、を少なくとも含み、前記端末装置に対して、前記スクリプト言語で指定した画像データ特定情報、広告データ特定情報および再生用特殊効果データ特定情報に基づいて、前記画像サーバ装置から画像データを読み出し、前記第１のデータベースから広告データを読み出し、前記第２のデータベースから再生用特殊効果データを読み出して、これらを合成して画面に表示させることを特徴としている。
【００１７】
このように、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成するので、端末装置において、画像データ、広告データおよび再生用特殊効果データを読み出して、これらを合成して画面に表示することができる。また、要素タグと前記第１のデータベースに格納されている広告データとのマッチングを行なって、前記要素タグとマッチングした広告データの広告データ特定情報を前記端末装置へ送信すると共に、カテゴリ情報と前記第２のデータベースに格納されている再生用特殊効果データとのマッチングを行なって、前記カテゴリ情報とマッチングした再生用特殊効果データの再生用特殊効果データ特定情報を前記端末装置へ送信するので、画像と関連する広告データおよび再生用特殊効果を抽出し、端末装置において、これらを表示することが可能となる。
【００１８】
これにより、ユーザが自由に選択した映像と、その映像に関連する広告データおよび再生用特殊効果データとを対応付けて、映像の閲覧を希望する端末装置で広告情報が付された映像コンテンツを表示することができる。その結果、ユーザにとっては好みの映像を選択して、簡単な操作で映像広告を作成することができる。また、広告主にとっては、同じ広告情報であっても、さまざまな映像や再生用特殊効果が付されることとなるため、バリエーションの豊富な広告を提供することができる。また、画像サーバ装置の運営者にとっては、ユーザ数の増加が期待される。
【発明の効果】
【００１９】
本発明によれば、画像データを特定する画像データ特定情報、広告データを特定する広告データ特定情報および再生用特殊効果データを特定する再生用特殊効果データ特定情報をパッケージ化し、パッケージＩＤおよびユーザＩＤを用いて配布用タグを生成する一方、前記配布用タグに基づいたアクセスがあったときに、前記パッケージに含まれている画像データ特定情報、広告データ特定情報および再生用特殊効果データ特定情報に基づいて、これらのデータを再生するスクリプト言語を生成するので、端末装置において、画像データ、広告データおよび再生用特殊効果データを読み出して、これらを合成して画面に表示することができる。これにより、ユーザが自由に選択した映像と、その映像に関連する広告データおよび再生用特殊効果データとを対応付けて、映像の閲覧を希望する端末装置で広告情報が付された映像コンテンツを表示することができる。その結果、ユーザにとっては好みの映像を選択して、簡単な操作で映像広告を作成することができる。また、広告主にとっては、同じ広告情報であっても、さまざまな映像や再生用特殊効果が付されることとなるため、バリエーションの豊富な広告を提供することができる。また、画像サーバ装置の運営者にとっては、ユーザ数の増加が期待される。
【発明を実施するための最良の形態】
【００２０】
次に、本発明に係る実施形態について、図面を参照しながら説明する。図１は、本実施形態に係る画像表示システムの概略構成を示す図である。この画像表示システムは、動画または静止画の画像データを格納する画像サーバ装置１０と、動画または静止画を表示可能な端末装置１１と、広告データを格納する第１のデータベース１２と、再生用特殊効果（ギミック）データを格納する第２のデータベース１３と、制御サーバ装置１４と、から構成されている。また、広告サーバ装置１５は、広告サイト１５ａを提供する。これらの構成要素は、通信ネットワーク１００を介して接続されている。なお、本実施形態では、第１のデータベース１２と第２のデータベース１３とは、制御サーバ装置１４で直接接続され、管理されている形態を説明するが、本発明は、これに限定されるわけではなく、第１のデータベース１２と第２のデータベース１３とがそれぞれ独立して通信ネットワーク１００に接続されていても良い。
【００２１】
制御サーバ装置１４は、画像データを特定する画像データ特定情報（ＵＲＬ）、広告データを特定する広告データ特定情報および再生用特殊効果データを特定する再生用特殊効果データ特定情報をパッケージ化し、パッケージＩＤおよびユーザＩＤを用いて、配布用タグを生成する。そして、生成した配布用タグを端末装置１１に対して送信する。また、端末装置１１から、配布用タグに基づいたアクセスがあったときに、パッケージに含まれている画像データ特定情報、広告データ特定情報および再生用特殊効果データ特定情報に基づいて、これらのデータを再生するスクリプト言語を生成する。そして、生成したスクリプト言語を端末装置１１に対して送信する。
【００２２】
また、制御サーバ装置１４は、画像データ特定情報により特定される画像の要素を示す要素タグを画像サーバ装置１０から取得し、要素タグと第１のデータベース１２に格納されている広告データとのマッチングを行なって、要素タグとマッチングした広告データの広告データ特定情報を端末装置１１へ送信する。また、制御サーバ装置１４は、画像データ特定情報により特定される画像のカテゴリを示すカテゴリ情報を、画像サーバ装置１０から取得し、カテゴリ情報と第２のデータベース１３に格納されている再生用特殊効果データとのマッチングを行なって、カテゴリ情報とマッチングした再生用特殊効果データの再生用特殊効果データ特定情報を端末装置１１へ送信する。なお、制御サーバ装置１４は、上記のマッチングを必ず行なうわけではなく、ユーザが自発的に選択した広告データの広告データ特定情報を端末装置１１へ送信しても良いし、ユーザが自発的に選択した再生用特殊効果データの再生用特殊効果データ特定情報を端末装置１１へ送信しても良い。
【００２３】
第１のデータベース１２は、複数種類の広告データを格納する。また、広告データ中の広告文言および広告文言に対応するＩＤから構成された広告文言テーブルと、広告文言テーブルから抽出された広告文言中の名詞、予め登録された名詞から連想される類義語、並びに名詞および類義語に対応するＩＤから構成された広告文言拡張テーブルと、を備える。また、第２のデータベース１３は、再生用特殊効果データを格納する。また、再生用特殊効果名および再生用特殊効果のカテゴリ名から構成された再生用特殊効果テーブルを備えている。制御サーバ装置１４がマッチングを行なうときは、この広告文言拡張テーブル中の名詞および類義語と要素タグとのマッチングを行ない、また、再生用特殊効果テーブル中の再生用特殊効果のカテゴリ名とカテゴリ情報とのマッチングを行なう。
【００２４】
端末装置１１は、画像サーバ装置１０から画像データ特定情報を取得し、取得した画像データ特定情報を用いて、制御サーバ装置１４に対して、広告データおよび再生用特殊効果データの要求を行なう。また、端末装置１１は、制御サーバ装置１４に対して、画像データ特定情報、広告データ特定情報および再生用特殊効果データ特定情報を用いて配布用タグの生成要求を行なう。
【００２５】
端末装置１１は、制御サーバ装置１４から配布用タグを取得し、取得した配布用タグに基づいて、制御サーバ装置１４にアクセスし、制御サーバ装置１４からスクリプト言語を取得する。そして、スクリプト言語で指定された画像データ特定情報、広告データ特定情報および再生用特殊効果データ特定情報に基づいて、画像サーバ装置１０から画像データを読み出し、第１のデータベース１２から広告データを読み出し、第２のデータベース１３から再生用特殊効果データを読み出して、これらを合成して画面に表示する。
【００２６】
端末装置１１またはそれ以外の端末装置は、制御サーバ装置１４から受信した配布用タグを用いて、制御サーバ装置１４に対して、画像配信要求を行なうことができる。そして、スクリプト言語を取得し、スクリプト言語で指定された画像データ特定情報、広告データ特定情報および再生用特殊効果データ特定情報に基づいて、画像サーバ装置１０から画像データを読み出し、第１のデータベース１２から広告データを読み出し、第２のデータベース１３から再生用特殊効果データを読み出して、これらを合成して画面に表示することができる。
【００２７】
図２は、本発明の概念を示す図である。本発明は、動画サイト等で提供されている動画と、広告および広告に関連する特殊効果（ギミック）とを、端末装置のブラウザ上で合成させて表示されるものである。本明細書において、「広告付き映像」とは、映像と、広告と、ギミックとを合成して表示する動画のことをいう。また、「パッケージ」とは、広告付き映像を表示するために、画像データ特定情報、広告データ特定情報および再生用特殊効果データ特定情報を一つのパッケージとした情報のことをいう。
【００２８】
以下、本実施形態における画像表示システムの動作について説明する。以下の説明は、あくまでも一例であって、本発明は、これに限定されるわけではない。図３および図４は、制御サーバ装置１４がパッケージを生成する手順を示すシーケンスチャートである。端末装置１１は、Ｗｅｂページの閲覧機能を有するソフトウェアを備えており、そのソフトウェアをブラウザと呼称する。また、図３および図４中、ステップＭ１〜Ｍ９の部分は、ユーザの人為的な操作を示している。まず、ユーザが、端末装置１１のブラウザ１１ａを介して、サイトを訪問する（ステップＭ１）。ブラウザ１１ａは、制御サーバ装置１４に対してＷｅｂページを要求し（ステップＳ１）、制御サーバ装置１４は、ＨＴＭＬデータをブラウザ１１ａに送信する（ステップＳ２）。次に、ユーザが、端末装置１１から動画についてのキーワードを入力すると（ステップＭ２）、ブラウザ１１ａが制御サーバ装置１４に対して動画リストを要求する（ステップＳ３）。
【００２９】
制御サーバ装置１４は、ブラウザ１１ａから受け取ったキーワードをパラメータとして、画像サーバ装置１０（動画サイト）を検索し（ステップＳ４）、検索結果の動画リスト、例えば、サムネイルのＵＲＬ、タイトル、詳細説明、および動画のＵＲＬなどを取得する（ステップＳ５）。制御サー装置１４は、画像サーバ装置１０から取得した動画リスト（サムネイルのＵＲＬ、タイトル、詳細説明、および動画のＵＲＬなど）をブラウザ１１ａに送信する（ステップＳ６）。ブラウザ１１ａは、制御サーバ装置１４から受信したサムネイルのＵＲＬに基づいて、画像サーバ装置１０に対してサムネイルを要求し（ステップＳ７）、画像サーバ装置１０は、サムネイル画像をブラウザ１１ａに送信する（ステップＳ８）。これにより、ブラウザ１１ａにサムネイル、タイトル、詳細説明の一覧が表示される（ステップＳ９）。
【００３０】
次に、ユーザが、ブラウザ１１ａに表示されているサムネイルをクリックすると（ステップＭ３）、ブラウザ１１ａは、画像サーバ装置１０に対して動画を要求する（ステップＳ１０）。画像サーバ装置１０は、ブラウザ１１ａからの要求に応じて動画を送信する（ステップＳ１１）。これにより、ブラウザ１１ａには、動画が表示される。次に、ブラウザ１１ａは、制御サーバ装置１４に対して、パラメータとして動画タグ（画像データ特定情報）を用いて、広告情報およびギミック情報を要求する（ステップＳ１２）。
【００３１】
制御サーバ装置１４は、動画タグから動画ＩＤを抽出し、抽出した動画ＩＤに基づいて、画像サーバ装置１０に対して、動画情報を要求する（ステップＳ１３）。画像サーバ装置１０は、制御サーバ装置１４からの要求に応じて、動画情報、例えば、要素タグ、カテゴリ、時間などを制御サーバ装置１４に対して送信する（ステップＳ１４）。この「要素タグ」とは、動画の内容を端的に示す情報である。これにより、制御サーバ装置１４は、要素タグ、カテゴリ、時間などの動画情報を取得することができる。ここで、制御サーバ装置１４が、要素タグおよびカテゴリに基づいて、第１のデータベース１２および第２のデータベース１３を用いて、マッチングを行なっても良い。このマッチングについては、後述する。
【００３２】
制御サーバ装置１４は、要素タグ、カテゴリ、時間などの動画情報を取得すると、「要素タグ」を用いて、第１のデータベース１２から「オススメ広告一覧」を作成する。また、「カテゴリ」を用いて、第２のデータベース１３から「オススメギミック一覧」を作成する。また、第１のデータベース１２から広告カテゴリ一覧を取得し、第２のデータベース１３からギミックカテゴリ一覧を取得し、そして、制御サーバ装置１４から動画の表示サイズ一覧を取得する。そして、制御サーバ装置１４は、ギミックカテゴリ一覧、オススメギミック一覧、広告カテゴリ一覧、オススメ広告一覧、および表示サイズ一覧を、ブラウザ１１ａに送信する（ステップＳ１５）。これにより、ブラウザ１１ａにおいて、動画、ギミック一覧、カテゴリ一覧、動画サイズ一覧が画面に表示される（ステップＳ１６）。
【００３３】
次に、図４において、ユーザが、ギミックのカテゴリを選択すると（ステップＭ４）、ブラウザ１１ａは、制御サーバ装置１４に対して、選択したカテゴリに紐付くギミック一覧を要求する（ステップＳ１７）。制御サーバ装置１４は、ブラウザ１１ａからの要求に応じて、受け取ったギミックカテゴリに紐付くギミック一覧を、第２のデータベース１３から取得し、ギミックＩＤ、ギミック名、ギミック動画のＵＲＬの一覧をブラウザ１１ａに対して送信する（ステップＳ１８）。次に、ユーザが、ギミックを選択すると（ステップＭ５）、ブラウザ１１ａは、ステップＳ１８で取得した「ギミック動画のＵＲＬ」に基づいて、制御サーバ装置１４に対して、ギミック動画を要求する（ステップＳ１９）。制御サーバ装置１４は、ブラウザ１１ａからの要求に応じて、ギミック動画をブラウザ１１ａに対して送信する（ステップＳ２０）。これにより、ブラウザ１１ａが、ギミック動画を取得し、動画にギミックが重なって表示されることとなる（ステップＳ２１）。
【００３４】
次に、ユーザが、広告カテゴリを選択すると（ステップＭ６）、ブラウザ１１ａは、制御サーバ装置１４に対して、ユーザが選択した広告に紐付く広告一覧を要求する（ステップＳ２２）。制御サーバ装置１４は、ブラウザ１１ａからの要求に応じて、受け取った広告カテゴリに紐付く広告一覧を、第１のデータベース１２から取得し、広告ＩＤ、広告文言の一覧をブラウザ１１ａに対して送信する（ステップＳ２３）。次に、ユーザが広告を選択すると（ステップＭ７）、ブラウザ１１ａは、ステップＳ２３で取得した広告ＩＤに基づいて、制御サーバ装置１４に対して広告文言を要求する（ステップＳ２４）。制御サーバ装置１４は、ブラウザ１１ａからの要求に応じて、広告文言と、遷移先のＵＲＬをブラウザ１１ａに対して送信する（ステップＳ２５）。これにより、ブラウザ１１ａにおいて、ギミックの中に広告文言が表示されることとなる（ステップＳ２６）。次に、ユーザが表示サイズを選択すると（ステップＭ８）、ブラウザ１１ａは、選択されたサイズで動画、ギミック動画を調整（伸縮）して表示する。これにより、ユーザが指定した表示サイズで「動画」、「ギミック」、「広告」が表示される（ステップＳ２７）。
【００３５】
次に、ユーザが、ブラウザ１１ａに対してパッケージ作成を指示すると（ステップＭ９）、ブラウザ１１ａは、「動画のＵＲＬ」、「ギミックのＩＤ」、「広告のＩＤ」、および「表示サイズ」をパラメータとして、制御サーバ装置に対して、配布用タグを要求する（ステップＳ２８）。制御サーバ装置１４は、ブラウザ１１ａからの要求に応じて、受け取った情報、すなわち、「動画のＵＲＬ」、「ギミックのＩＤ」、「広告のＩＤ」、および「表示サイズ」からパッケージを作成する。パッケージ情報は、自身の記憶装置（データベース）に保持する。また、パッケージから配布用タグを生成し、ブラウザ１１ａに対して配布用タグを送信する（ステップＳ２９）。これにより、ブラウザ１１ａの画面において、配布用タグが表示される（ステップＳ３０）。ユーザは、配布用タグを、ブログなどのＷｅｂページに貼り付けて、インターネット上で公開することが可能となる。
【００３６】
次に、制御サーバ装置１４におけるマッチングについて説明する。図５は、制御サーバ装置が行なうマッチングについて示す図である。制御サーバ装置１４が、画像サーバ装置１０から取得した「要素タグ」を、第１のデータベース１２に入力し、広告情報とのマッチングを行なう。第１のデータベース１２は、ＩＤおよび広告文言から構成される広告文言マスタと、ＩＤ、名詞、および類似（語）から構成される広告文言拡張マスタとを有している。広告文言マスタと広告文言拡張マスタとは共通のＩＤで連携している。第１のデータベース１２におけるマッチング動作は、まず、広告文言マスタの広告文言について、言語解析を行ない、名詞のみを抽出する。広告文言マスタから広告文言が有する名詞を抽出したら、これを広告文言拡張マスタに羅列する。また、この名詞から連想される類似語であって、事前に登録されているものを、広告文言拡張マスタに羅列する。このように広告文言拡張マスタに類似項目を設けたのは、「要素タグ」とのマッチング効果を高めるためである。
【００３７】
次に、広告文言拡張マスタ中の名詞および類似語と、「要素タグ」とのマッチングを行ない、マッチングが成立したときは、広告文言拡張マスタ中のＩＤに対応する広告文言マスタ中のＩＤに関連付けられた広告文言（広告情報）のＵＲＬを抽出する。これにより、ブラウザ１１ａは、広告付き映像の構成要素のうち、「広告」情報（広告のＵＲＬ）を取得することができる。なお、マッチングの結果、抽出される広告情報は、複数である場合もあり、この場合は、「オススメ広告一覧」とすることができる。また、本実施形態では、広告情報には、その広告の詳細を示すＷｅｂのＵＲＬが埋め込まれているものとする。
【００３８】
また、制御サーバ装置１４は、画像サーバ装置１０から取得した「カテゴリ」を、第２のデータベース１３に入力し、ギミック情報とのマッチングを行なう。第２のデータベース１３は、ＩＤ、ギミック名（ユニーク）、ギミック参照先ＵＲＬ（ユニーク）、およびカテゴリ名（重複してもよい）から構成されるギミックマスタを有している。第２のデータベース１３におけるマッチング動作は、画像サーバ装置１０から取得した「カテゴリ」と、ギミックマスタ中の「カテゴリ名」とのマッチングにより行なう。そして、マッチングが成立したギミック情報のＵＲＬを抽出する。これにより、ブラウザ１１ａは、広告付き映像の構成要素のうち、「ギミック」（ギミックのＵＲＬ）を取得することができる。なお、マッチングの結果、抽出されるギミック情報は、複数である場合もあり、この場合は、「オススメギミック一覧」とすることができる。
【００３９】
次に、上記のようにして作成された配布用タグを用いて、ブラウザに広告付き映像を表示する手順について説明する。図６および図７は、ブラウザにおいて、広告付き映像が表示される手順を示すシーケンスチャートである。図６および図７において、ブログ等のサーバ（１１ａ）とは、上記ステップＳ１からステップＳ３０を経て配布用タグを取得したブラウザ１１ａを含むサーバのことである。また、他のブラウザ１１ｂとは、ブラウザ１１ａと同じブラウザであってもよいが、他の一般的な端末装置におけるブラウザであっても良い。ここでは、他の一般的な端末装置におけるブラウザであるとする。従って、以下のステップＭ１０とＭ１１の操作をするユーザは、他の一般的な端末装置を操作するユーザ（他のユーザ）となる。
【００４０】
まず、他のユーザが、ブラウザ１１ｂを介して、サイト（ブログ等のサーバ１１ｃ）を訪問する（ステップＭ１０）。ブラウザ１１ｂは、ブログ等のサーバ１１ｃに対してＷｅｂページを要求し（ステップＴ１）、ブログ等のサーバ１１ｃは、配布用タグを含むＨＴＭＬデータをブラウザ１１ｂに送信する（ステップＴ２）。次に、ブラウザ１１ｂは、配布用タグの情報に基づいて、制御サーバ装置１４にアクセスしてＷｅｂページの要求を行なう（ステップＴ３）。このとき、パラメータとして、パッケージＩＤを送信する。
【００４１】
次に、制御サーバ装置１４は、ブラウザ１１ｂからの要求に応じて、パッケージＩＤを利用して、自身の記録装置（データベース）から「動画のＵＲＬ」、ギミックＩＤに紐付いている「ギミック動画ＵＲＬ」、および「画像示サイズ」を取得する。また、動画のＵＲＬを利用して動画のサムネイルＵＲＬを作成する。そして、ブラウザ１１ｂに対して、「動画のＵＲＬ」、「動画サムネイルＵＲＬ」、「ギミック動画のＵＲＬ」、「パッケージＩＤ」および「制御サーバ装置ＵＲＬ」を含んだ「Ｊａｖａ（登録商標）Ｓｃｒｉｐｔ」を発行する（ステップＴ４）。この「Ｊａｖａ（登録商標）Ｓｃｒｉｐｔ」は、ブラウザなどでの利用に適したスクリプト言語（簡易プログラミング言語）である。
【００４２】
図８は、制御サーバ装置が発行したＪａｖａ（登録商標）Ｓｃｒｉｐｔがサイトに貼り付けられる様子を示す図である。図８に示すように、Ｊａｖａ（登録商標）Ｓｃｒｉｐｔは、例えば、プログラムＡ部、プログラムＢ部、およびプログラムＣ部のように構成されている。また、これらのプログラムのソースコードは、例えば、図９に示すように構成することができる。
【００４３】
図６において、ブラウザ１１ｂは、上記のＪａｖａ（登録商標）Ｓｃｒｉｐｔを受け取ると、「動画サムネイルＵＲＬ」に基づいて、画像サーバ装置１０に対して画像を要求する（ステップＴ５）。画像サーバ装置１０は、ブラウザ１１ｂからの要求に応じて、サムネイル画像をブラウザ１１ｂに対して送信する（ステップＴ６）。これにより、ブラウザ１１ｂの画面には、サムネイル画像が表示される（ステップＴ７）。なお、この段階では、動画、ギミック動画および広告は読み込まれていない。
【００４４】
次に、ユーザが、サムネイルをクリックすると（ステップＭ１１）、ブラウザ１１ｂは、クリックされた時に、Ｊａｖａ（登録商標）Ｓｃｒｉｐｔによってサムネイル画像が表示されていた画面の領域に、「動画」と「ギミック」を表示するために、動画のＵＲＬに基づいて、画像サーバ装置１０に対して、動画を要求する（ステップＴ８）。画像サーバ装置１０は、ブラウザ１１ｂからの要求に応じて、動画をブラウザ１１ｂに対して送信する（ステップＴ９）。次に、ブラウザ１１ｂは、ギミック動画ＵＲＬに基づいて、制御サーバ装置１４に対して、ギミック動画を要求する（ステップＴ１０）。制御サーバ装置１４は、ブラウザ１１ｂからの要求に応じて、ギミック動画をブラウザ１１ｂに対して送信する（ステップＴ１１）。ブラウザ１１ｂにおいて表示されたギミック動画は、制御サーバ装置ＵＲＬに基づいて、制御サーバ装置１４にアクセスして取得される。
【００４５】
次に、ブラウザ１１ｂは、パッケージＩＤに基づいて、制御サーバ装置１４に対して、広告文言を要求する（ステップＴ１２）。制御サーバ装置１４は、パッケージＩＤを使用し、第１のデータベース１２から「広告ＩＤ」、「広告文言」、「遷移先ＵＲＬ」を取得して、ブラウザ１１ｂに対して、「広告ＩＤ」、「広告文言」、「遷移先ＵＲＬ」を送信する（ステップＴ１３）。これにより、ブラウザ１１ｂにおいて、「動画」、「ギミック」、および「広告」が表示される（ステップＴ１４）。例えば、図８に示すように、ブラウザ１１ｂにおいて、サムネイルと再生ボタンが表示されている領域に、ユーザがマウスカーソルを合わせると、これをきっかけとしてサムネイル画像と再生ボタンが張られている＜ｄｉｖ＞タグのｉｎｎｅｒＨＴＭＬを書き換え、パッケージを表示して、動画、広告およびギミックを読み込んで、同時に表示する。このように、サムネイルと再生ボタンが表示されている領域に、ユーザがマウスカーソルを合わせたときをきっかけとして処理を行なうことができるので、動画の再生開始を指示することが可能となる。なお、動画の再生実行後は、再実行を防止する構成を採っても良い。
【００４６】
次に、図７において、ユーザが、広告をクリックすると（ステップＭ１２）、ブラウザ１１ｂにおいて、クリックイベントを受け取ったギミック動画（ｓｗｆ）は、「遷移先ＵＲＬ」に基づいて、制御サーバ装置１４にアクセスして、Ｗｅｂページの要求を行なう（ステップＴ１５）。この際、ブラウザ１１ｂは、パラメータとして、パッケージＩＤと広告ＩＤを送信する。制御サーバ装置１４は、ブラウザ１１ｂから受け取った広告ＩＤを利用して、第１のデータベース１２から「広告サイトＵＲＬ」を取得して、ブラウザ１１ｂに対して、リダイレクト指示およびリダイレクト先である「広告サイトＵＲＬ」を送信する（ステップＴ１６）。このリダイレクト指示を受け取ったブラウザ１１ｂは、リダイレクト先で「広告サイト」へページを要求する（ステップＴ１７）。広告サイト１５は、ブラウザ１１ｂからの要求に応じて、ＷｅｂページのＨＴＭＬデータをブラウザ１１ｂに対して送信する（ステップＴ１８）。これにより、ブラウザ１１ｂにおいて、広告サイトの画像が表示される。なお、ここで、その広告サイトのＷｅｂページに遷移したときに、上記タグをブログに貼り付けたユーザに対してポイントを付与してもよい。これにより、アフィリエイトシステムとして機能させることが可能となる。
【００４７】
なお、本発明の特徴的な動作は、制御サーバ装置においてプログラムを実行することにより行われる。すなわち、本発明のプログラムは、制御サーバ装置の動作を制御するプログラムであって、端末装置から、画像サーバ装置から取得した画像データ特定情報を用いた広告データおよび再生用特殊効果データの要求を受け付ける処理と、画像データ特定情報により特定される画像の要素を示す要素タグを画像サーバ装置から取得する処理と、要素タグと第１のデータベースに格納されている広告データとのマッチングを行なって、要素タグとマッチングした広告データの広告データ特定情報を端末装置へ送信する処理と、画像データ特定情報により特定される画像のカテゴリを示すカテゴリ情報を画像サーバ装置から取得する処理と、カテゴリ情報と第２のデータベースに格納されている再生用特殊効果データとのマッチングを行なって、カテゴリ情報とマッチングした再生用特殊効果データの再生用特殊効果データ特定情報を端末装置へ送信する処理と、端末装置から、画像データ特定情報、広告データ特定情報および再生用特殊効果データ特定情報を用いた配布用タグの生成要求を受け付ける処理と、配布用タグの生成要求に基づいて、画像データ特定情報、広告データ特定情報および再生用特殊効果データ特定情報をパッケージ化し、パッケージＩＤおよびユーザＩＤを用いて配布用タグを生成する処理と、生成した配布用タグを端末装置へ送信する処理と、配布用タグに基づいたアクセスがあったときに、パッケージに含まれている画像データ特定情報、広告データ特定情報および再生用特殊効果データ特定情報に基づいて、これらのデータを再生するスクリプト言語を生成する処理と、生成したスクリプト言語を端末装置に送信する処理と、を少なくとも含み、端末装置に対して、スクリプト言語で指定した画像データ特定情報、広告データ特定情報および再生用特殊効果データ特定情報に基づいて、画像サーバ装置から画像データを読み出し、第１のデータベースから広告データを読み出し、第２のデータベースから再生用特殊効果データを読み出して、これらを合成して画面に表示させる。
【００４８】
以上説明したように、本実施形態に係る画像表示システムによれば、端末装置１１において、画像データ、広告データおよび再生用特殊効果データを読み出して、これらを合成して画面に表示することができる。これにより、ユーザが自由に選択した映像と、その映像に関連する広告データおよび再生用特殊効果データとを対応付けて、映像の閲覧を希望する端末装置で広告情報が付された映像コンテンツを表示することができる。その結果、ユーザにとっては好みの映像を選択して、簡単な操作で映像広告を作成することができる。また、広告主にとっては、同じ広告情報であっても、さまざまな映像や再生用特殊効果が付されることとなるため、バリエーションの豊富な広告を提供することができる。また、画像サーバ装置の運営者にとっては、ユーザ数の増加が期待される。
【図面の簡単な説明】
【００４９】
【図１】本実施形態に係る画像表示システムの概略構成を示す図である。
【図２】本発明の概念を示す図である。
【図３】制御サーバ装置がパッケージを生成する手順を示すシーケンスチャートである。
【図４】制御サーバ装置がパッケージを生成する手順を示すシーケンスチャートである。
【図５】制御サーバ装置が行なうマッチングについて示す図である。
【図６】ブラウザにおいて、広告付き映像が表示される手順を示すシーケンスチャートである。
【図７】ブラウザにおいて、広告付き映像が表示される手順を示すシーケンスチャートである。
【図８】制御サーバ装置が発行したＪａｖａ（登録商標）Ｓｃｒｉｐｔがサイトに貼り付けられる様子を示す図である。
【図９】プログラムのソースを示す図である。
【符号の説明】
【００５０】
１０  画像サーバ装置
１１  端末装置
１１ａ  ブラウザ
１１ｂ  他のブラウザ
１１ｃ  ブログ等のサーバ
１２  第１のデータベース（広告データベース）
１３  第２のデータベース（ギミックデータベース）
１４  制御サーバ装置
１５  広告サーバ装置
１５ａ  広告サイト
１００  通信ネットワーク
【図２】
2009177540.tif 000003
【図３】
2009177540.tif 000004
【図４】
2009177540.tif 000005
【図５】
2009177540.tif 000006
【図６】
2009177540.tif 000007
【図７】
2009177540.tif 000008
【図８】
2009177540.tif 000009
【図９】
2009177540.tif 000010
【図１】
2009177540.tif 000011